(57)【要約】【課題】外部回路との特性インピーダンスの整合が容易で、信号波形の品質の優れたＴＭＤＳ用コモンモードフィルタアレイを得ること。【解決手段】信号用内部導体とグランド用内部導体を有するコモンモードフィルタが二つ並列に設けられ、コネクタとコントロールＩＣ間に接続されて用いられるＴＭＤＳ用コモンモードフィルタアレイであって、部品素体の互いに対向する一方の側面上にはコネクタ側の二つの信号用端子電極及び前記信号用端子電極間に一つのグランド用端子電極が並設され、他方の側面上にはコントロールＩＣ側の二つの信号用端子電極が並設され、部品素体の側面上であってコントロールＩＣ側の前記信号用端子電極間を除く部分に非コネクタ側の二つのグランド用端子電極が設けられ、前記グランド用内部導体の両端は前記コネクタ側及び前記非コネクタ側の前記グランド用端子電極にそれぞれ接続されることを特徴とする。【選択図】      図１
2004311826.tif 000002
【特許請求の範囲】
【請求項１】
信号用内部導体とグランド用内部導体を有するコモンモードフィルタが二つ並列に設けられ、コネクタとコントロールＩＣ間に接続されて用いられるＴＭＤＳ用コモンモードフィルタアレイであって、部品素体の互いに対向する一方の側面上にはコネクタ側の二つの信号用端子電極及び前記信号用端子電極間に一つのグランド用端子電極が並設され、他方の側面上にはコントロールＩＣ側の二つの信号用端子電極が並設され、部品素体の側面上であってコントロールＩＣ側の前記信号用端子電極間を除く部分に非コネクタ側の二つのグランド用端子電極が設けられ、前記信号用内部導体の両端は前記コネクタ側及び前記コントロールＩＣ側の前記信号用端子電極にそれぞれ接続され、前記グランド用内部導体の両端は前記コネクタ側及び前記非コネクタ側の前記グランド用端子電極にそれぞれ接続されることを特徴とするＴＭＤＳ用コモンモードフィルタアレイ。
【請求項２】
前記非コネクタ側の前記グランド用端子電極が、前記コントロールＩＣ側の前記信号用端子電極の両側に設けられることを特徴とする請求項１に記載のＴＭＤＳ用コモンモードフィルタアレイ。
【請求項３】
前記非コネクタ側の前記グランド用端子電極が、前記コントロールＩＣ側の前記信号用端子電極の並設面に隣接する二つの側面上にそれぞれ設けられることを特徴とする請求項１に記載のＴＭＤＳ用コモンモードフィルタアレイ。
【請求項４】
前記非コネクタ側の前記グランド用端子電極が、前記コントロールＩＣ側の前記信号用端子電極の並設面及び当該面に隣接する側面により形成される角部に設けられることを特徴とする請求項１に記載のＴＭＤＳ用コモンモードフィルタアレイ。
【請求項５】
二つの前記コモンモードフィルタを構成する信号用内部導体間の特性インピーダンスが１００Ω±１５％であることを特徴とする請求項１〜４に記載のＴＭＤＳ用コモンモードフィルタアレイ。
【発明の詳細な説明】
【発明の属する技術分野】
本発明は、ＴＭＤＳ伝送におけるノイズ対策用のコモンモードフィルタアレイに関する。
【従来の技術】
デジタルディスプレイ用のインターフェース規格であるＤＶＩ、ＨＤＶＩにおいてはＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）伝送方式が採用されている。近年、ＴＭＤＳ伝送方式を採用した液晶ディスプレイが増加してきている。
ＴＭＤＳ伝送方式ではコモンモードフィルタアレイを用いたノイズ対策が効果的である。図９に、ＴＭＤＳ用コモンモードフィルタアレイの例を示す。
図９で、ＴＭＤＳ用コモンモードフィルタアレイ４１の部品素体４２の一側面上には、グランド用端子電極４４ａ、４４ｂとその両側に信号用端子電極４３ａ、４３ｂが並設される。また、前記側面と対向する側面上には、グランド用端子電極４４ｃ、４４ｄとその両側に信号用端子電極４３ｃ、４３ｄが並設される。
また、ＴＭＤＳ用コモンモードフィルタアレイ４１は、内部に二つのコモンモードフィルタ（図示せず）が並列に接続されたアレイ構造を有する。そして、各コモンモードフィルタを構成する内部導体（図示せず）の両端が上述の端子電極に接続される。
図１０に、ＴＭＤＳ用コモンモードフィルタアレイ４１の使用例を示す。
ＴＭＤＳ用コモンモードフィルタアレイ４１は、ＴＭＤＳ伝送方式を使用するインターフェースのコネクタと、前記インターフェースを制御するコントロールＩＣの間に接続されて使用される。信号用端子電極４３ａ、４３ｂはそれぞれ信号ライン４５ａ、４５ｂを介してコネクタの信号端子に接続される。また、グランド用端子電極４４ａ、４４ｂはぞれぞれ信号ライン４６を介してコネクタのグランド端子に接続される。一方、信号用端子電極４３ｃ、４３ｄはぞれぞれ信号ライン４７ａ、４７ｂを介してコントロールＩＣに接続される。また、グランド用端子電極４４ｃ、４４ｄは信号ライン４８に接続される。前記信号ライン４８はその一端に設けられたスルーホール４９を介して基板のグランド端子に接続される。
上述のような構成を有するコモンモードフィルタアレイは、例えば特開平８−１３８９３７号公報に記載されている。
【特許文献１】
特開平８−１３８９３７号公報
【発明が解決しようとする課題】
ＴＭＤＳ用コモンモードフィルタアレイ４１のコネクタ側の側面は、上述のようにグランド用端子電極の両側に二つの信号用端子電極が配置される必要がある。これは、コネクタにおいて信号端子がグランド端子の両側に配置された形状を有すること、及び信号のノイズを効果的に除去するためコネクタとＴＭＤＳ用コモンモードフィルタアレイ間の距離を１ｃｍ以下に抑える必要があることによる。
そして、コントロールＩＣ側の側面においてもコネクタ側の側面と同様に端子電極が配置されるのが一般的である。この場合、信号ライン４７ａ、４７ｂ間にグランドライン４８が配置される。
しかしながら、上述の構成においてグランドライン４８はスルーホールを有するなど一般に複雑な形状を有し、またラインを信号が伝わるため、その両側の信号ライン４７ａ、４７ｂ間の特性インピーダンスを所望の値に設計するのが困難である。さらに、信号ライン４７ａ、４７ｂがグランドライン４８の外側にあるため周囲の回路の影響を受けやすく、特性インピーダンスが不安定となる。このように特性インピーダンスを所望の値に設計しにくいことにより、信号波形の品質が悪化するという問題があった。
本発明では、上述の問題を解決し、外部回路との特性インピーダンスの整合が容易で、信号波形の品質の優れたＴＭＤＳ用コモンモードフィルタアレイを得ることを課題とする。
【課題を解決するための手段】
上述の課題を解決するため、本発明のＴＭＤＳ用コモンモードフィルタアレイは、信号用内部導体とグランド用内部導体を有するコモンモードフィルタが二つ並列に設けられ、コネクタとコントロールＩＣ間に接続されて用いられるＴＭＤＳ用コモンモードフィルタアレイであって、部品素体の互いに対向する一方の側面上にはコネクタ側の二つの信号用端子電極及び前記信号用端子電極間に一つのグランド用端子電極が並設され、他方の側面上にはコントロールＩＣ側の二つの信号用端子電極が並設され、部品素体の側面上であってコントロールＩＣ側の前記信号用端子電極間を除く部分に非コネクタ側の二つのグランド用端子電極が設けられ、前記信号用内部導体の両端は前記コネクタ側及び前記コントロールＩＣ側の前記信号用端子電極にそれぞれ接続され、前記グランド用内部導体の両端は前記コネクタ側及び前記非コネクタ側の前記グランド用端子電極にそれぞれ接続されることを特徴とする。
また、前記非コネクタ側の前記グランド用端子電極が、前記コントロールＩＣ側の前記信号用端子電極の両側に設けられることを特徴とする。
このような構成とすることで、ＴＭＤＳ用コモンモードフィルタとコントロールＩＣを接続する信号ラインにおいて、特性インピーダンスを所望の値に設計することが容易となり、信号波形の品質を向上させることができる。
また、前記非コネクタ側の前記グランド用端子電極が、前記コントロールＩＣ側の前記信号用端子電極の並設面に隣接する二つの側面上にそれぞれ設けられることを特徴とする。
このような構成とすることで、前記ＴＭＤＳ用コモンモードフィルタとコントロールＩＣ間を接続する信号ラインの特性インピーダンスを所望の値に設計することが容易となり、信号波形の品質を向上させることができるとともに、コントロールＩＣ側の信号ラインの設計自由度が向上する。
また、前記非コネクタ側の前記グランド用端子電極が、前記コントロールＩＣ側の前記信号用端子電極の並設面及び当該面に隣接する側面により形成される角部に設けられることを特徴とする。
このような構成とすることで、前記ＴＭＤＳ用コモンモードフィルタとコントロールＩＣ間を接続する信号ラインの特性インピーダンスを所望の値に設計することが容易となり、信号波形の品質を向上させることができるとともに、コントロールＩＣ側の信号ラインの設計自由度が向上する。さらに、グランドラインの設計自由度が向上する。
また、二つの前記コモンモードフィルタを構成する信号用内部導体間の特性インピーダンスが１００Ω±１５％であることを特徴とする。
【発明の実施の形態】
以下、本発明の実施の形態について添付の図面に基づき説明する。
図１は、第一の実施の形態によるＴＭＤＳ用コモンモードフィルタアレイの外観斜視図である。
図１に示すように、ＴＭＤＳ用コモンモードフィルタアレイ１の部品素体２の一側面上には、グランド用端子電極４ａとその両側に信号用端子電極３ａ、３ｂが並設される。また、前記側面に対向する側面上には、信号用端子電極３ｃ、３ｄとその両側にグランド用端子電極４ｂ、４ｃが並設される。
図２は、前記ＴＭＤＳ用コモンモードフィルタアレイの分解斜視図である。
図２に示すように、ＴＭＤＳ用コモンモードフィルタアレイ１の部品素体２は、第一の磁性体基板１５、絶縁体層１０ａ〜１０ｇ及び第二の磁性体基板１６の順に積層されてなる。
絶縁体層１０ａ上には、渦巻き形状を有するグランド用内部導体１２ａ、１２ｂが設けられる。前記グランド用内部導体１２ａ（１２ｂ）は上下導体の交差部（図中の実線と破線が交差する箇所）を有し、前記交差部近傍における上下導体間に絶縁体層１０ｂ（１０ｃ）が設けられる。また、前記グランド用内部導体１２ａ（１２ｂ）の両端には、引き出し部１４ａ及び１４ｂ（１４ｃ）がそれぞれ設けられる。
また、絶縁体層１０ｄ上には、渦巻き形状を有する信号用内部導体１１ａ、１１ｂが設けられる。前記信号用内部導体１１ａ（１１ｂ）は上下導体の交差部（図中の実線と破線が交差する箇所）を有し、前記交差部近傍における上下導体間に絶縁体層１０ｅ（１０ｆ）が設けられる。また、前記信号用内部導体１３ａ（１３ｂ）の両端には、引き出し部１３ａ（１３ｂ）及び１３ｃ（１３ｄ）がそれぞれ設けられる。
そして、前記信号用内部導体１１ａが形成するコイルと、グランド用内部導体１２ａが形成するコイルが結合し、第一のコモンモードフィルタを構成する。また、前記信号用内部導体１１ｂが形成するコイルと、グランド用内部導体１２ｂが形成するコイルが結合し、第二のコモンモードフィルタを構成する。
図３は、前記ＴＭＤＳ用コモンモードフィルタアレイの等価回路図である。
図３に示すように、前記信号用内部導体１１ａ（１１ｂ）が形成するコイルの両端は信号用端子電極３ａ、３ｃ（３ｂ、３ｄ）にそれぞれ接続され、前記グランド用内部導体１２ａ（１２ｂ）が形成するコイルの両端はグランド用端子電極４ａ、４ｂ（４ａ、４ｃ）にそれぞれ接続される。このように、ＴＭＤＳ用コモンモードフィルタアレイ１は、第一及び第二のコモンモードフィルタが並列に接続されたアレイ構造を有する。
図４は、ＴＭＤＳ用コモンモードフィルタアレイ１の使用例を示す図である。
ＴＭＤＳ用コモンモードフィルタアレイ１は、コネクタ及びコントロールＩＣ間に接続されて使用される。信号用端子電極３ａ、３ｂはそれぞれ信号ライン５ａ、５ｂを介してコネクタの信号端子に接続される。また、グランド用端子電極４ａは信号ライン６を介してコネクタのグランド端子に接続される。一方、信号用端子電極３ｃ、３ｄはそれぞれ信号ライン７ａ、７ｂを介してコントロールＩＣに接続される。また、グランド用端子電極４ｂ、４ｃはそれぞれ信号ライン８ａ、８ｂに接続される。前記信号ライン８ａ（８ｂ）は、その一端に設けられたスルーホール９ａ（９ｂ）を介して基板のグランド端子に接続される。
上述の構成を有するＴＭＤＳコモンモードフィルタアレイ１は、コントロールＩＣ側の信号ライン８ａ、８ｂ間にグランドラインが配置されないため、前記信号ライン８ａ、８ｂ間の特性インピーダンスを所望の値に設計するのが容易である。これにより、外部回路と特性インピーダンスを容易に整合させることができ、信号波形の品質が向上するという効果を有する。
図５は、第二の実施の形態によるＴＭＤＳ用コモンモードフィルタアレイの外観斜視図である。
図５に示すように、ＴＭＤＳ用コモンモードフィルタアレイ２１の部品素体２２の一側面上には、グランド用端子電極２４ａとその両側に信号用端子電極２３ａ、２３ｂが並設される。また、前記側面に対向する側面上には、信号用端子電極２３ｃ、２３ｄが並設される。さらに、前記信号用端子電極２３ｃ、２３ｄが並設される面に隣接する二つの側面上には、グランド用端子電極２４ｂ、２４ｃがそれぞれ設けられる。
第一の実施形態と同様、ＴＭＤＳ用コモンモードフィルタアレイ２１は、内部に二つのコモンモードフィルタが並列に接続されたアレイ構造を有する。また、前記各コモンモードフィルタは信号用内部導体及びグランド用内部導体より構成される。そして、前記信号用内部導体の両端は、信号用端子電極２３ａ（２３ｂ）及び２３ｃ（２３ｄ）に接続され、前記グランド用内部導体の両端はグランド用端子電極２４ａ及び２４ｂ（２４ｃ）に接続される。
図６は、ＴＭＤＳ用コモンモードフィルタアレイ２１の使用例を示す図である。
ＴＭＤＳ用コモンモードフィルタアレイ２１は、コネクタ及びコントロールＩＣ間に接続されて使用される。信号用端子電極２３ａ、２３ｂはそれぞれ信号ライン２５ａ、２５ｂを介してコネクタの信号端子に接続される。また、グランド用端子電極２４ａは信号ライン２６を介してコネクタのグランド端子に接続される。一方、信号用端子電極２３ｃ、２３ｄはそれぞれ信号ライン２７ａ、２７ｂを介してコントロールＩＣに接続される。また、グランド用端子電極２４ｂ、２４ｃはそれぞれ信号ライン２８ａ、２８ｂに接続される。前記信号ライン２８ａ（２８ｂ）は、その一端に設けられたスルーホール２９を介して基板のグランド端子に接続される。
上述の構成を有するＴＭＤＳ用コモンモードフィルタアレイ２１は、コントロールＩＣ側の信号ライン２８ａ、２８ｂ間にグランドラインが配置されないため、前記信号ライン２８ａ、２８ｂ間の特性インピーダンスを所望の値に設計するのが容易である。これにより、外部回路と特性インピーダンスを容易に整合させることができ、信号波形の品質が向上するという効果を有する。
さらに、前記グランド用端子電極２４ｂ、２４ｃは、前記信号用端子電極２３ｃ、２３ｄが並設される面に隣接する面に形成されるため、前記信号ライン２８ａ、２８ｂの設計自由度が向上する。これにより、基板への高密度実装が可能となるという効果を有する。
図７は、第三の実施の形態によるＴＭＤＳ用コモンモードフィルタアレイの外観斜視図である。
図７に示すように、ＴＭＤＳ用コモンモードフィルタアレイ３１の部品素体３２の一側面上には、グランド用端子電極３４ａとその両側に信号用端子電極３３ａ、３３ｂが並設される。また、前記側面に対向する側面上には、信号用端子電極３３ｃ、３３ｄが並設される。さらに、前記信号用端子電極３３ｃ、３３ｄの並設面と、当該面に隣接する側面により形成される角部に、グランド用端子電極３４ｂ、３４ｃが設けられる。
第一の実施形態と同様、ＴＭＤＳ用コモンモードフィルタアレイ３１は、内部に二つのコモンモードフィルタが並列に接続されたアレイ構造を有する。また、前記各コモンモードフィルタは信号用内部導体及びグランド用内部導体より構成される。そして、前記信号用内部導体の両端は、信号用端子電極３３ａ（３３ｂ）及び３３ｃ（３３ｄ）に接続され、前記グランド用内部導体の両端はグランド用端子電極３４ａ及び３４ｂ（３４ｃ）に接続される。
図８は、ＴＭＤＳ用コモンモードフィルタアレイ３１の使用例を示す図である。
ＴＭＤＳ用コモンモードフィルタアレイ３１は、コネクタ及びコントロールＩＣ間に接続されて使用される。信号用端子電極３３ａ、３３ｂはそれぞれ信号ライン３５ａ、３５ｂを介してコネクタの信号端子に接続される。また、グランド用端子電極３４ａは信号ライン３６を介してコネクタのグランド端子に接続される。一方、信号用端子電極３３ｃ、３３ｄはそれぞれ信号ライン３７ａ、３７ｂを介してコントロールＩＣに接続される。また、グランド用端子電極３４ｂ、３４ｃはそれぞれ信号ライン３８ａ、３８ｂに接続される。前記信号ライン３８ａ（３８ｂ）は、その一端に設けられたスルーホール３９を介して基板のグランド端子に接続される。
上述の構成を有するＴＭＤＳ用コモンモードフィルタアレイ３１は、コントロールＩＣ側の信号ライン３８ａ、３８ｂ間にグランドラインが配置されないため、前記信号ライン３８ａ、３８ｂ間の特性インピーダンスを所望の値に設計するのが容易である。これにより、外部回路と特性インピーダンスを容易に整合させることができ、信号波形の品質が向上するという効果を有する。
また、前記グランド用端子電極３４ｂ、３４ｃは、前記信号用端子電極３３ｃ、３３ｄの並設面を含む部品素体３２の角部に形成されるため、前記信号ライン３８ａ、３８ｂの設計自由度が向上するとともに、当該グランド用端子電極に接続されるグランドラインの設計自由度が向上する。これにより、基板への高密度実装が可能となるという効果を有する。
これまで述べてきた実施形態においては、ＴＭＤＳ用コモンモードフィルタアレイを構成する二つの信号用内部導体間の特性インピーダンスが１００Ω±１５％の範囲に設計されることにより、ＤＶＩ規格のインターフェースに適合させることができる。
なお、本発明の実施形態は上述のものに限定されず、その要旨の範囲内で変更可能である。
例えば、図１では部品素体の上面及び底面に端子電極の一部が設けられているが、端子電極は部品素体の側面の他に上面と底面のいずれか一方に設けられてもよい。あるいは、端子電極は部品素体の側面のみに設けられてもよく、このとき上下方向のどの範囲に設けられるかは任意である。
また、コモンモードフィルタを構成する信号用内部導体及びグランド用内部導体の形状は図２に示す形状に限られず、任意である。例えば、前記各内部導体は複数の導体パターン層がスルーホール等を介し接続されたコイル形状を有してもよい。また、前記各内部導体はミアンダ形状であってもよい。さらに、前記コモンモードフィルタは、被覆導線等が磁性体等よりなる巻芯部に巻回されてなるものであってもよい。
【発明の効果】
以上述べてきたように、本発明のＴＭＤＳ用コモンモードフィルタアレイは、コントロールＩＣ側の信号ライン間にグランドラインが配置されない構成により、前記信号ライン間の特性インピーダンスを所望の値に設計するのが容易である。これにより、外部回路と特性インピーダンスを容易に整合させることができ、信号波形の品質が向上するという効果を有する。
さらに、前記信号用端子電極が並設される面に隣接する面にグランド用端子電極が形成されることにより、前記信号ラインの設計自由度が向上する。また、前記信号用端子電極の並設面を含む部品素体の角部に前記グランド用端子電極が形成されることにより、前記信号ラインの設計自由度が向上するとともに、当該グランド用端子電極に接続されるグランドラインの設計自由度が向上する。これらにより、基板への高密度実装が可能となるという効果を有する。
【図面の簡単な説明】
【図１】第一の実施の形態によるＴＭＤＳ用コモンモードフィルタアレイの外観斜視図。
【図２】図１のＴＭＤＳ用コモンモードフィルタアレイの分解斜視図。
【図３】図１のＴＭＤＳ用コモンモードフィルタアレイの等価回路図。
【図４】図１のＴＭＤＳ用コモンモードフィルタアレイの使用例を示す図。
【図５】第二の実施の形態によるＴＭＤＳ用コモンモードフィルタアレイの外観斜視図。
【図６】図５のＴＭＤＳ用コモンモードフィルタアレイの使用例を示す図。
【図７】第三の実施の形態によるＴＭＤＳ用コモンモードフィルタアレイの外観斜視図。
【図８】図７のＴＭＤＳ用コモンモードフィルタアレイの使用例を示す図。
【図９】従来のＴＭＤＳ用コモンモードフィルタアレイの外観斜視図。
【図１０】図９のＴＭＤＳ用コモンモードフィルタアレイの使用例を示す図。
【符号の説明】
１、２１、３１、４１  ＴＭＤＳ用コモンモードフィルタアレイ
２、２２、３２、４２  部品素体
３ａ〜３ｄ、２３ａ〜２３ｄ、３３ａ〜３３ｄ、４３ａ〜４３ｄ  信号用端子電極
４ａ〜４ｃ、２４ａ〜２４ｃ、３４ａ〜３４ｃ、４４ａ〜４４ｄ  グランド用端子電極
５ａ、５ｂ、２５ａ、２５ｂ、３５ａ、３５ｂ、４５ａ、４５ｂ  （コネクタ側）信号ライン
７ａ、７ｂ、２７ａ、２７ｂ、３７ａ、３７ｂ、４７ａ、４７ｂ  （コントロールＩＣ側）信号ライン
６、２６、３６、４６  （コネクタ側）グランドライン
８ａ、８ｂ、２８ａ、２８ｂ、３８ａ、３８ｂ、４８  （非コネクタ側）グランドライン
９ａ、９ｂ、２９ａ、２９ｂ、３９ａ、３９ｂ、４９  スルーホール
１０ａ〜１０ｂ  絶縁体層
１１ａ、１１ｂ  信号用内部導体
１２ａ、１２ｂ  グランド用内部導体
１３ａ〜１３ｄ、１４ａ〜１４ｃ  引き出し部
１５  第一の磁性体基板
１６  第二の磁性体基板
【図１】
2004311826.tif 000003
【図２】
2004311826.tif 000004
【図３】
2004311826.tif 000005
【図４】
2004311826.tif 000006
【図５】
2004311826.tif 000007
【図６】
2004311826.tif 000008
【図７】
2004311826.tif 000009
【図８】
2004311826.tif 000010
【図９】
2004311826.tif 000011
【図１０】
2004311826.tif 000012